(57)【特許請求の範囲】
【請求項１】
フレキシブル基板と、該フレキシブル基板に実装された発光体とを含む発光式の演出手段を備えた遊技機において、前記フレキシブル基板を厚さ方向に並べて配置し、前記フレキシブル基板の並び部分の夫々に前記発光体を配置したことを特徴とする遊技機。
【発明の詳細な説明】
【技術分野】
【０００１】
本発明は、パチンコ機、アレンジボール機、スロットマシン等の遊技機に関するものである。
【背景技術】
【０００２】
パチンコ機、アレンジボール機、スロットマシン等の遊技機では、その前面側に発光式演出手段を備え、遊技状態に応じて発光体を発光させて演出するようになっている。この種の遊技機の演出手段は、装飾体の裏側に、前面に多数の発光ダイオード等の発光体が実装されたプリント基板を配置したものが使用されていたが、近年ではフレキシブル基板を採用したものもある（特許文献１）。
【０００３】
この演出手段は、フレキシブル基板の片面に複数個の側面発光式の発光体を長手方向に所定間隔を置いて実装しておき、このフレキシブル基板を支持体の外周に巻き付けて装着している。
【先行技術文献】
【特許文献】
【０００４】
【特許文献１】特開２００４−３５０９９３号公報
【発明の概要】
【発明が解決しようとする課題】
【０００５】
フレキシブル基板は折り曲げが可能であり、枠状の支持体の外周に沿って巻き付けて装着できるため、多数の発光体を支持体の外周形状に沿って配置する場合には簡単な構造で容易に実施できる利点がある。
【０００６】
しかし、フレキシブル基板はその片面に側面発光式の発光体を実装したものであるため、支持体の外周形状に沿って発光体を配置して線状又は筋状に発光させる場合には便利であるが、平面的な広がりに欠ける欠点がある。そのため従来のフレキシブル基板を採用した発光式演出手段では、発光領域が線状又は筋状の狭いものに制限されたり、発光時の明るさを十分に確保し難い等の欠点がある。
【０００７】
本発明は、このような従来の問題点に鑑み、フレキシブル基板を使用しながらも平面的な広がりを確保でき、発光体が発光したときの明るさを容易に確保できる遊技機を提供することを目的とする。
【課題を解決するための手段】
【０００８】
本発明は、フレキシブル基板と、該フレキシブル基板に実装された発光体とを含む発光式の演出手段を備えた遊技機において、前記フレキシブル基板を厚さ方向に並べて配置し、前記フレキシブル基板の並び部分の夫々に前記発光体を配置したものである。
【発明の効果】
【００１１】
本発明によれば、フレキシブル基板を使用しながらも平面的な広がりを確保でき、発光体が発光したときの明るさを容易に確保できる利点がある。
【図面の簡単な説明】
【００１２】
【図１】本発明の第１の実施形態を示すパチンコ機の正面図である。
【図２】同前面板側の球供給皿等の平面図である。
【図３】同回転演出手段の側面断面図である。
【図４】同回転演出手段の正面断面図である。
【図５】同回転演出手段の平面断面図である。
【図６】同回転演出手段の平面断面図である。
【図７】同要部の拡大平面図である。
【図８】同要部の拡大断面図である。
【図９】同フレキシブル基板の斜視図である。
【図１０】同フレキシブル基板の折り重ね説明図である。
【図１１】本発明の第２の実施形態を示す要部の拡大平面図である。
【図１２】本発明の第３の実施形態を示す要部の拡大平面図である。
【図１３】本発明の第４の実施形態を示す遊技盤の正面図である。
【図１４】同可動演出手段の正面断面図である。
【図１５】同要部の拡大平面断面図である。
【図１６】同要部の拡大側面断面図である。
【図１７】本発明の第５の発光演出手段の正面図である。
【図１８】同側面断面図である。
【図１９】本発明の第６の実施形態を示す正面図である。
【図２０】同拡大側面断面図である。
【図２１】同正面図である。
【図２２】本発明の第７の実施形態を示す平面図である。
【図２３】同正面断面図である。
【発明を実施するための形態】
【００１３】
以下、本発明の各実施形態を図面に基づいて詳述する。図１〜図１０は本発明をパチンコ機に採用した第１の実施形態を例示する。パチンコ機１は、図１に示すように、矩形状の外枠２と、この外枠２の前側にヒンジ３により縦軸廻りに開閉自在に枢着された前枠４とを備えている。前枠４の前側にはガラス扉５と前面板６とが上下に配置され、前枠４に対してヒンジ３と同じ側のヒンジ７により縦軸廻りに開閉自在に枢支されている。
【００１４】
前面板６の前側には、図１、図２に示すように、発射用の遊技球を貯留する球供給皿８と、余剰球を貯留する球受け皿９とが上下に配置され、その側方に遊技球を発射する発射手段（図示省略）の発射ハンドル１０が設けられている。球供給皿８、球受け皿９は前面板６に装着され、前側から上部皿カバー１２、下部皿カバー１３により覆われている。
【００１５】
上部皿カバー１２の前中央部には、図１、図２に示すように、前斜め上向きに操作ボタン兼用の回転演出手段１４が配置され、その左側にチャンスボタン１５が、右側に球貸し操作パネル１６が夫々配置されている。ガラス扉５の裏側には、このガラス扉５に対応するように前枠４に遊技盤１７が着脱自在に装着されている。
【００１６】
遊技盤１７の前面には、図１に示すように、発射手段から発射された遊技球を案内するガイドレール１８が略円弧状に配置されると共に、そのガイドレール１８の内側の遊技領域１９に画像表示手段２０、普通図柄始動手段２１、特別図柄始動手段２２、可変入賞手段２３、普通入賞手段２４、普通図柄表示手段２５、特別図柄表示手段２６等の各種の遊技部品が配置されている。
【００１７】
画像表示手段２０は遊技領域１９の左右方向の略中央の上部に配置され、特別図柄始動手段２２と可変入賞手段２３は画像表示手段２０の下側に上下に配置されている。普通入賞手段２４は可変入賞手段２３の左右両側に設けられている。特別図柄始動手段２２は非開閉式入賞口２２ａと開閉式入賞口２２ｂとを有する。普通図柄始動手段２１は画像表示手段２０とガイドレール１８との間に配置されている。
【００１８】
画像表示手段２０は液晶式等の画像表示部２８と、画像表示部２８に対応する表示窓２９を有し且つ遊技盤１７の前面に装着された飾り枠３０とを備えている。飾り枠３０には遊技盤１７から前側に突出する突出部３１を上部から左右両側部に跨がって備え、その突出部３１の上部側の前面に普通図柄表示手段２５と特別図柄表示手段２６とが装着されている。
【００１９】
普通図柄表示手段２５は普通図柄を変動表示するためのもので、複数種類の普通図柄（例えば２種類の「○」「×」）に対応する複数個の発光素子により構成されており、普通図柄始動手段２１が遊技球を検出することを条件に２個の発光素子が交互に点灯するように所定時間点滅して、普通図柄始動手段２１の遊技球の検出時に抽選した乱数値が予め定められた当たり判定値と一致した場合に当たり態様の「○」側の発光素子が点灯し、それ以外の場合に外れ態様の「×」側の発光素子が点灯して停止する。なお、変動後の普通図柄は１／１０程度の所定の確率で当たり態様となる。
【００２０】
特別図柄表示手段２６は発光部位の変化等で特別図柄を変動表示可能なセグメント式等により構成されており、特別図柄始動手段２２が遊技球を検出することを条件に、特別図柄が所定時間変動して、特別図柄始動手段２２の遊技球の検出時に抽選された乱数値が予め定められた大当たり判定値と一致した場合に所定の大当たり態様で、それ以外の場合に外れ態様で停止するようになっている。
【００２１】
特別図柄始動手段２２の開閉式入賞口２２ｂは、普通図柄表示手段２５の変動後の停止図柄が当たり態様となったときに所定時間（短時間）だけ開放するようになっている。可変入賞手段２３は開閉板２３ａを有し、特別図柄表示手段２６の変動後の特別図柄が大当たり態様となって特別遊技状態が発生したときに開閉板２３ａが前側に開放して、上方から落下する遊技球を入賞させるようになっている。特別遊技状態中は開閉板２３ａの開放から所定時間（例えば３０秒程度）が経過するか、その間に所定数（例えば１０個）の遊技球が入賞したときに開閉板２３ａを閉じる動作を１ラウンドとし、この動作を所定回数（例えば１６ラウンド）継続するようになっている。
【００２２】
画像表示部２８は特別図柄表示手段２６の特別図柄に対応する演出図柄３２ａ，３２ｂ，３２ｃの変動表示、回転演出手段１４の操作指示画像３３を表示する操作指示等、遊技の進行に従って適宜タイミングで各種の演出画像を随時表示するものである。即ち、特別図柄表示手段２６の特別図柄の変動に際しては、その特別図柄の変動に同期して１個又は複数個、例えば３個の演出図柄３２ａ〜３２ｃが画像表示部２８に変動表示される。このとき演出図柄３２ａ〜３２ｃは特別図柄始動手段２２の遊技球の検出を条件に、抽選により決定された所定の演出図柄変動パターンを経て所定時間変動した後、特別図柄の変動終了に同期して所定の順序（例えば左、右、中等の順序）で順次停止する。
【００２３】
演出図柄３２ａ〜３２ｃの変動後の停止図柄は、特別図柄が大当たり態様で停止する場合には全てが揃う大当たり演出態様となり、特別図柄が外れ態様で停止する場合には少なくとも一部が異なる外れ演出態様となる。
【００２４】
例えば、演出図柄３２ａ〜３２ｃには０〜９までの数字図柄が使用されており、特別図柄が大当たり態様で停止する場合には演出図柄３２ａ〜３２ｃは「７・７・７」等の大当たり演出態様で停止し、特別図柄が外れ態様で停止する場合には演出図柄３２ａ〜３２ｃは「２・４・５」等の外れ演出態様で停止する。
【００２５】
回転演出手段１４の操作指示に際しては、変動後の特別図柄が大当たり態様となる信頼度の高い演出図柄変動パターンを抽選したとき等、遊技者に対して期待感を抱かせる所定の遊技状態、例えば１個の演出図柄３２ｂを除く２個の演出図柄３２ａ，３２ｃが同じとなるリーチとなった場合に、画像表示部２８の所定箇所に回転演出手段１４の操作を指示する操作指示画像３３が表示される。
【００２６】
そして、例えば特別図始動手段２２が遊技球を検出したときに大当たりを抽選しており、変動後の特別図柄が大当たり態様となった後に特別遊技状態が発生する場合には、その操作指示画像３３に従って図柄変動中に適宜タイミングで回転演出手段１４を押圧操作すれば、回転演出手段１４が回転しながら明滅発光する回転発光状態となって、その後の大当たり態様での特別図柄の停止、及びこれに続く特別遊技状態の発生を予告する。
【００２７】
なお、回転演出手段１４は遊技者が操作するか否かに関係なく回転発光させてもよい。また回転演出手段１４の回転発光中は、画像表示部２８に回転演出手段１４の回転発光を示す演出画像を表示してもよい。
【００２８】
上部皿カバー１２は、図２に示すように、下部皿カバー１３の上側で前側へと膨らむ膨らみ部３５を有し、この膨らみ部３５に回転演出手段１４が配置されている。回転演出手段１４は、図３〜図６に示すように、回転軸３８廻りに回転しながら明滅発光する回転発光手段３９と、回転発光手段３９を上側から覆い且つ回転発光手段３９からの光により外周面及び上端面が赤色等の所定の発光色で回転発光する押圧操作部兼用の発光カバー４０と、発光カバー４０の押圧操作を検出する検出スイッチ４１と、発光カバー４０の外周に套嵌され且つ上端外周が上部皿カバー１２に嵌合する漏斗状の反射カバー４２と、反射カバー４２の下側で取り付け部材４３を介して上部皿カバー１２に固定された支持枠４４と、この支持枠４４の下側で上部皿カバー１２の前面部３６に裏側から結合され且つ下部皿カバー１３の底壁１３ａ上に当接する固定枠４５とを備え、前上向きに傾斜状に配置されている。
【００２９】
回転発光手段３９は、図３〜図６に示すように、支持枠４４上に設けられた光源４７と、光源４７の上側近傍に回転軸３８廻りに回転自在に配置され且つ光源４７を上側から覆う回転円板４８と、基部が光源４７の外周近傍で回転円板４８上に固定され且つ回転軸３８と一体に回転して光源４７からの光を径方向の外側へと反射する反射板４９とを備え、光源４７の下側に回転軸３８を介して反射板４９を駆動する駆動手段５０が設けられている。
【００３０】
光源４７はフレキシブル基板５４の片面に装着された赤色に発光する発光ダイオード等の発光体５５ａ，５５ｂを支持体５６上に回転軸３８に対して略同心状に配置して構成されている。支持体５６は円板状又はリング状であって、回転軸３８を支持する支持ケース５７上にネジ等により固定されている。この支持体５６の上側には内外に略同心状に保持壁５８ａ，５８ｂが設けられ、この保持壁５８ａ，５８ｂにより、両保持壁５８ａ，５８ｂ間に挿入されたフレキシブル基板５４を着脱自在に保持するようになっている。
【００３１】
内側の保持壁５８ａは環状である。外側の保持壁５９ｂは略Ｃ字状であり、フレキシブル基板５４の折り曲げ部６０、コネクタ６１の配置に必要な開放部６２が設けられている。また保持壁５８ａ，５８ｂにはフレキシブル基板５４の各発光体５５ａ，５５ｂに対応する凹部等の収容部６３ａ，６３ｂが内外に対応して形成され、両保持壁５８ａ，５８ｂ間にフレキシブル基板５４を挿入したときに各発光体５５ａ，５５ｂが収容部６３ａ，６３ｂ内に収まっている。
【００３２】
フレキシブル基板５４は図９に示すように帯状であって、折り曲げ部６０で二つ折り状に折り曲げて重ね合わせており、その重ね合わせ部６５を挟んで両側に側面発光式の発光体５５ａ，５５ｂが実装され、また長手方向の一端部の反対側にコネクタ６１が実装されている。発光体５５ａ，５５ｂはフレキシブル基板５４の折り曲げ部６０を除く部分の片面の幅方向の一端側に、その端縁に沿って長手方向に所定間隔を置いて複数個設けられており、発光時にフレキシブル基板５４の幅方向（図８のｃ矢示方向）に光を発するようになっている。
【００３３】
フレキシブル基板５４は、図１０に示すように、発光体５５ａ，５５ｂのない面を内側にして折り曲げ部６０で二つ折り状に折り曲げられている。そして、このフレキシブル基板５４は、図６〜図８に示すように、発光体５５ａ，５５ｂの実装領域Ｘの略全体を重ね合わせて保持壁５８ａ，５８ｂ間に挿入され、保持壁５８ａ，５８ｂにより着脱自在に保持されている。なお、保持壁５８ａ，５８ｂは保持部６７を構成するものであり、フレキシブル基板５４の重ね合わせ部６５（実装領域Ｘ）の略全体を両側から挟んでいる。
【００３４】
フレキシブル基板５４の折り曲げ部６０、コネクタ６１は、図６に示すように、保持壁５８ｂの開放部６２に周方向の反対側から出ている。各発光体５５ａ，５５ｂは、図７、図８に示すように、フレキシブル基板５４の重ね合わせ部６５を挟んで反対側に内外方向（フレキシブル基板５４の厚さ方向）に対応して配置され、各保持壁５８ａ，５８ｂの収容部６３ａ，６３ｂ内に収容されている。またフレキシブル基板５４の折り曲げ部６０と反対側はその一方が他方よりも長く突出しており、その突出部５４ａにコネクタ６１が実装されている。突出部５４ａは開放部６２で保持壁５８ａに沿って配置されている。
【００３５】
回転円板４８は図４〜図６に示すように支持体５６と略同程度の円形状であって、各発光体５５ａ，５５ｂからの光を回転軸３８の軸心と略平行な方向に集光する集光部６６が一体に設けられ、回転軸３８の上端に固定されている。集光部６６は各発光体５５ａ，５５ｂに対応して周方向に連続するリング状に形成されている。なお、回転円板４８は光透過性を有し、また集光部６６は回転円板４８の上面側に円弧状に突出する凸レンズ状になっている。
【００３６】
反射板４９は基部が回転円板４８の外周側の上面で光源４７の外周近傍に位置して配置され、光源４７の発光体５５ａ，５５ｂからの光を径方向に反射する凹面状の反射面４９ａを有する。反射板４９の先端側は回転軸３８の中心側へと湾曲して、その先端側で光源４７の周方向の一部を回転軸３８の軸心方向の外方から覆うようになっている。
【００３７】
発光カバー４０は回転発光手段３９の回転発光時における回転発光用の他に、検出スイッチ４１用の押圧操作部を兼用するものであって、上部皿カバー１２の上側から押圧操作可能に反射カバー４２よりも上側に突出しており、支持枠４４により回転軸３８の軸心方向に移動自在に支持され戻しバネ７０により復帰位置に保持されている。
【００３８】
発光カバー４０は図３〜図５に示すように上向きに突出する半球面状であって、例えば赤色発光の場合には赤色に着色されている。この発光カバー４０の下端には、回転円板４８の外周に略同心状に配置された可動リング７１が固定されている。可動リング７１は貫通孔７３に摺動自在に貫通する摺動棒７２を介して支持枠４４に回転軸３８の軸心方向に摺動自在に支持されている。摺動棒７２は周方向に略等間隔をおいて複数個配置され、可動リング７１から下方へと回転軸３８と略平行に突出している。各摺動棒７２の外周には、可動リング７１を介して発光カバー４０を反射カバー４２側に戻す戻しバネ７０が套嵌され、可動リング７１と支持枠４４との間に介在されている。
【００３９】
検出スイッチ４１は非接触式等であって、図４、図６に示すように、支持枠４４に可動リング７１と上下に対向して装着されており、発光カバー４０を押圧操作したときに、可動リング７１の外周側に設けられた位置検出片７４を検出するようになっている。検出スイッチ４１は位置検出片７４の進入を検出するように略Ｕ字状に構成され、スイッチ基板７５を介して支持枠４４に装着されている。位置検出片７４は可動リング７１から下側に下向きに突出して設けられ、発光カバー４０を操作したときに検出スイッチ４１内に進入するようになっている。
【００４０】
駆動手段５０はギヤーケース７６の下側に装着された駆動モータ７７と、ギヤーケース７６内に収容された駆動ギヤー７８及び従動ギヤー７９とを備え、駆動ギヤー７８が駆動モータ７７の駆動軸８０に、従動ギヤー７９が回転軸３８に夫々設けられている。
【００４１】
このパチンコ機１において、普通図柄始動手段２１が遊技球を検出すると、普通図柄表示手段２５の普通図柄が所定時間変動し、その当たり態様、外れ態様の何れかで停止する。普通図柄が当たり態様であれば、特別図柄始動手段２２の開閉式入賞口２２ｂが所定時間開放する。
【００４２】
特別図柄始動手段２２の上下２個の入賞口２２ａ，２２ｂの何れかに遊技球が入賞すると、特別図柄表示手段２６の特別図柄が所定時間変動し、またその特別図柄の変動に同期して画像表示手段２０の演出図柄３２ａ〜３２ｃが所定の演出図柄変動パターンで変動する。
【００４３】
特別図柄始動手段２２が遊技球を検出した際に、例えば変動後の特別図柄が大当たり態様となって特別遊技状態が発生する大当たりを抽選していた場合には、特別図柄の変動中に、画像表示手段２０に表示される演出図柄３２ａ〜３２ｃのうち２個の演出図柄３２ａ，３２ｃが同じ図柄を表示するリーチになったときに、図１に点線で示すように演出図柄３２ａ〜３２ｃの他に、回転演出手段１４の操作を指示する操作指示画像３３が画像表示手段２０に表示される。
【００４４】
そして、この操作指示画像３３が表示されたときに、遊技者が適宜タイミングで発光カバー４０を押圧操作すれば回転演出手段１４が赤色に回転発光し、その後に特別図柄が大当たり態様で停止して特別遊技状態が発生することを予告する予告演出を行う。なお、この回転演出手段１４による回転発光は、その後に特別遊技状態が発生する場合には、その特別遊技状態が終了するまで継続してもよい。変動後の特別図柄が外れ態様となる場合には、特別図柄の変動終了と同時又は変動終了の前後の何れかで停止すればよい。
【００４５】
回転演出手段１４は通常発光しておらず停止状態にある。また発光カバー４０は戻しバネ７０により上側へと付勢され、検出スイッチ４１が非検出状態にある。
【００４６】
そこで、遊技者が掌で発光カバー４０を下方へと図３のａ矢示方向に押圧操作すると、摺動棒７２により案内されながら戻しバネ７０に抗して可動リング７１、発光カバー４０が一体的に回転軸３８の軸心方向に下降する。そして、発光カバー４０が下降すれば、可動リング７１の下側の位置検出片７４が検出スイッチ４１内に進入し、検出スイッチ４１が位置検出片７４を検出して回転発光指令を出す。
【００４７】
検出スイッチ４１からの回転発光信号があると、光源４７の各発光体５５ａ，５５ｂが発光すると共に、駆動手段５０の駆動モータ７７が起動して駆動ギヤー７８、従動ギヤー７９、回転軸３８を介して回転円板４８と一体に反射板４９が回転軸３８廻りを図５のｂ矢示方向に回転する。これにより回転発光手段３９が回転しながら発光する回転発光状態となる。
【００４８】
光源４７には回転円板４８の集光部６６に対応して各２個の発光体５５ａ，５５ｂを略等間隔をおいて周方向の複数箇所に配置しているが、側面発光式の発光体５５ａ，５５ｂが実装されたフレキシブル基板５４を利用し、このフレキシブル基板５４を折り曲げ部６０で二つ折り状に折り曲げて重ね合わせた後、その重ね合わせ部６５を保持壁５８ａ，５８ｂ間に挿入することにより、重ね合わせ部６５の両側に各２個の発光体５５ａ，５５ｂを対応して配置しているため、構造が簡単で容易且つ安価に光源４７を製作できる。
【００４９】
しかも光源４７は、フレキシブル基板５４を二つ折り状に折り曲げて発光体５５ａ，５５ｂの実装領域Ｘでフレキシブル基板５４を重ね合わせているので、発光体５５ａ，５５ｂを片面に設けた簡単な構造のフレキシブル基板５４を使用しているにも拘わらず、フレキシブル基板５４の長手方向及び厚さ方向に広がりをもって発光体５５ａ，５５ｂを配置することができ、発光領域を拡大できる。
【００５０】
特にフレキシブル基板５４の重ね合わせ部６５の両側で各２個の発光体５５ａ，５５ｂが相対応しており、その各２個の発光体５５ａ，５５ｂが発光するため、フレキシブル基板５４を用いているにも拘わらず、発光カバー４０の発光状態をより明るくすることができる。
【００５１】
また発光体５５ａ，５５ｂの実装領域Ｘ以外を折り曲げ部６０としてフレキシブル基板５４を二つ折り状に折り曲げているので、別々のフレキシブル基板５４を二枚重ねて使用する場合に比較して構造的に簡単であり、容易且つ安価に実施することができる。更にフレキシブル基板５４の重ね合わせ部６５を保持壁５８ａ，５８ｂ間に挿入しているので、支持体５６に対するフレキシブル基板５４の組み付けも容易に行うことができる。
【００５２】
またフレキシブル基板５４は保持壁５８ａ，５８ｂ間に挟持されており、発光体５５ａ，５５ｂは保持壁５８ａ，５８ｂに凹入状に形成された収容部６３ａ，６３ｂ内に収まっているので、フレキシブル基板５４、発光体５５ａ，５５ｂを保持壁５８ａ，５８ｂ等により保護でき、その損傷を未然に防止できる。各発光体５５ａ，５５ｂが保持壁５８ａ，５８ｂの収容部６３ａ，６３ｂに収まっているため、これによってフレキシブル基板５４、発光体５５ａ，５５ｂを位置決めすることができる。コネクタ６１の内側に保持壁５８ａ，５８ｂがあるため、コネクタ６１に外部コネクタ６１ａを接続する際の外力を保持壁５８ａ，５８ｂにより担持できる。
【００５３】
図１１は本発明の第２の実施形態を例示する。この実施形態では、内側の保持壁５８ａに開放部６２に対応して挿入部８２が形成され、この挿入部８２にフレキシブル基板５４の端部８３が挿入されている。他の構成は第１の実施形態と同様である。
【００５４】
このようにすれば、フレキシブル基板５４のコネクタ６１側の端部８３を保持壁５８ａの挿入部８２に挿入することにより、フレキシブル基板５４の端部８３側の固定等の処理を容易に行うことができる。
【００５５】
図１２は本発明の第３の実施形態を例示する。この実施形態では、赤、緑、青の三色の発光部８４〜８６が略一列状に配列されたフルカラー式の発光体５５ａ，５５ｂが用いられている。フレキシブル基板５４の重ね合わせ部６５を挟んで両側に配置された発光体５５ａ，５５ｂは、その赤、緑、青の三色の発光部８４〜８６がフレキシブル基板５４の長手方向に沿って逆向きに配列されている。他の構成は第１の実施形態と同様である。
【００５６】
このように三色の発光部８４〜８６が一列状に配列された発光体５５ａ，５５ｂを使用する場合には、その発光部８４〜８６の配列を逆にして二つの発光体５５ａ，５５ｂを配置することにより、各発光部８４〜８６の発光色が混ざり易くなる。またフレキシブル基板５４に発光体５５ａ，５５ｂを実装する際に各発光部８４〜８６の並び方向を揃えておき、その後にフレキシブル基板５４を二つ折り状に折り曲げればよいので、発光部８４〜８６の配列方向が逆であるにも拘わらず容易に製作することができる。
【００５７】
図１３〜図１６は本発明の第４の実施形態を例示する。この実施形態では、画像表示手段２０の飾り枠３０に、図１３に示すように画像表示部２８の前側に出退自在に可動演出手段８７が設けられている。可動演出手段８７は飾り枠３０の裏側で支軸８８により揺動自在に枢支された支持腕８９と、この支持腕８９の先端に設けられた発光演出体９０と、支持腕８９を支軸８８廻りに駆動するソレノイド等の駆動手段９１とを備え、発光演出体９０は中央装飾部９２と、この中央装飾部９２の外周に設けられた外周発光部９３とを有する。
【００５８】
発光演出体９０は円形状、その他の形状であって、その中央装飾部９２には前面側に演出用の装飾が施されており、外周のリング状の支持枠９４により支持されている。外周発光部９３は、図１３〜図１６に示すように、光透過性を有する支持枠９４と、この支持枠９４の裏側に着脱自在に装着されたリング状の支持体５６と、フレキシブル基板５４に実装され且つ支持体５６の前側に周方向に所定間隔を置いて配置された複数個の発光体５５ａ，５５ｂとを有し、発光体５５ａ，５５ｂの発光により支持枠９４の前面の発光面が発光するようになっている。
【００５９】
支持体５６はフレキシブル基板５４を巻き付けて装着するためのもので、図１３〜図１６に示すように、フレキシブル基板５４を固定するための固定部９５が各発光体５５ａ，５５ｂに対応して一体に設けられている。支持体５６、固定部９５には各発光体５５ａ，５５ｂに対応して凹部等の収容部６３ａ，６３ｂが形成され、その収容部６３ａ，６３ｂ内に発光体５５ａ，５５ｂが収まっている。なお、支持体５６と固定部９５とにより保持部６７が構成されている。
【００６０】
フレキシブル基板５４は二つ折り状に折り畳まれており、その重ね合わせ部６５が支持体５６の外周に巻き付けた状態で固定部９５との間に挿入されている。各発光体５５ａ，５５ｂはフレキシブル基板５４の重ね合わせ部６５を挟んでその両側に配置され、且つ支持体５６及び固定部９５に形成された収容部６３ａ，６３ｂ内に収まっている。固定部９５はその後側で支持体５６と一体であり、前端側は支持体５６の前端よりも若干後退している。支持枠９４の裏側は裏蓋９４により覆われている。
【００６１】
フレキシブル基板５４の一端側は重ね合わせ部６５から支持腕８９内へと伸びて、支持腕８９の長手方向に沿って幅方向の中央に配置され、基部側でコネクタ６１等を介して外部の制御手段に接続されている。支持腕８９内のフレキシブル基板５４は、図１４に示すように、長手方向に所定間隔を置いて配置された補強リブ９６のスリット９７に挿入して固定されている。
【００６２】
可動演出手段８７は通常は画像表示部２８よりも上側に上昇して飾り枠３０内に収容されている。そして、画像表示部２８の演出図柄３２ａ〜３２ｃが特定のリーチになる等、特定の遊技状態になれば、画像表示部２８に表示される所定の演出画像に同期して可動演出手段８７が支軸８８廻りに下降・上昇する可動演出、外周発光部９３が発光又は点滅発光する発光演出を行う。
【００６３】
このような可動演出手段８７の場合にも、フレキシブル基板５４を二つ折り状に折り重ねることにより、フレキシブル基板５４の重ね合わせ部６５の両側に各２個の発光体５５ａ，５５ｂを近接して配置できるので、その各２個の発光体５５ａ，５５ｂにより外周発光部９３を明るく発光させることができる。また支持体５６の外周に二つ折り状のフレキシブル基板５４を巻き付けながら支持体５６と固定部９５との間に挿入することにより、発光体５５ａ，５５ｂを備えたフレキシブル基板５４を容易且つ確実に装着できる。更に固定部９５の前端を支持体５６の前端よりも若干後退させることにより、フレキシブル基板５４の支持体５６への巻き付け、支持体５６と固定部９５との間への挿入を容易に行うことができる。
【００６４】
なお、この実施形態では、フレキシブル基板５４の発光体５５ａ，５５ｂを発光させて外周発光部９３を発光させるようにしているが、外周発光部９３と同期して支持腕８９及び／又は中央装飾部９２を発光させるようにしてもよい。
【００６５】
図１７、図１８は本発明の第５の実施形態を例示する。この実施形態では、飾り枠３０内に、その前面板１０４を発光させる前面発光式の発光演出手段１０５が設けられている。発光演出手段１０５には遊技盤１７と略平行に配置された支持体５６の前面に対して幅方向が略垂直となるようにフレキシブル基板５４が配置されている。
【００６６】
フレキシブル基板５４の重ね合わせ部６５は略直線状に配置され、支持体５６から突出する一対の保持突起９８により着脱自在に保持されている。フレキシブル基板５４の重ね合わせ部６５の両側の発光体５５ａ，５５ｂは、フレキシブル基板５４の長手方向の近傍に配置されている。フレキシブル基板５４の長手方向の位置は保持突起９８と発光体５５ａ，５５ｂとが長手方向に当接又は近接することにより位置決めされている。なお、保持突起９８により保持部６７が構成されている。
【００６７】
このように二つ折り状のフレキシブル基板５４を重ね合わせて、その重ね合わせ部６５の両側に発光体５５ａ，５５ｂを配置する場合、各２個の発光体５５ａ，５５ｂがフレキシブル基板５４の長手方向に若干ズレるように設けることも可能である。また保持部６７はフレキシブル基板５４の長手方向に所定間隔を置いて設けてもよい。
【００６８】
図１９、図２０は本発明の第６の実施形態を例示する。フレキシブル基板５４は折り曲げ部６０で二つ折り状に折り曲げられ、重ね合わせ部６５は所定の間隔（例えば発光体５５ａ，５５ｂの２個分の間隔）を置いて略平行に配置され、その重ね合わせ部６５のフレキシブル基板５４の相対向側に発光体５５ａ，５５ｂが配置されている。発光体５５ａ，５５ｂは重ね合わせ部６５のフレキシブル基板５４の内側に長手方向の略同一位置に相対向して配置されている。なお、相対向する発光体５５ａ，５５ｂは当接又は近接状態にある。
【００６９】
支持体５６にはフレキシブル基板５４は重ね合わせ部６５に対応して所定間隔で複数個の間隔保持突起９９が設けられ、また各間隔保持突起９９又は両端等の適当箇所の間隔保持突起９９に対応して押え突起１００が設けられ、これら間隔保持突起９９及び押え突起１００によりフレキシブル基板５４が着脱自在に保持されている。なお、間隔保持突起９９と押え突起１００とにより保持部６７が構成されている。
【００７０】
この場合にも、フレキシブル基板５４の片面に発光体５５ａ，５５ｂを実装しているにも拘わらず、その発光体５５ａ，５５ｂを相対向して配置できるので、より明るくすることが可能である。従って、このように発光体５５ａ，５５ｂを内側にしてフレキシブル基板５４を二つ折り状に折り曲げて、フレキシブル基板５４の長手方向の略同一位置で相対向する発光体５５ａ，５５ｂを当接又は近接して配置し、この発光体５５ａ，５５ｂを挟んで両側にフレキシブル基板５４を配置してもよい。
【００７１】
なお、発光体５５ａ，５５ｂを内側にしてフレキシブル基板５４を二つ折り状に折り曲げる場合、図２１に示すように、その重ね合わせ部６５のフレキシブル基板５４間に所定数（２個又は３個）の発光体５５ａ，５５ｂが近接して長手方向に略一列状に並ぶようにしてもよい。この場合、保持突起９８は発光体５５ａ，５５ｂに対応する部分でフレキシブル基板５４を保持するようにしてもよい。
【００７２】
図２２、図２３は本発明の第７の実施形態を例示する。この実施形態では、フレキシブル基板５４の重ね合わせ部６５には適当箇所に被係合部１０１が貫通状又は切り欠き状に形成され、支持体５６にその被係合部１０１に係合する係合部１０２が形成され、これらの係合によりフレキシブル基板５４の重ね合わせ部６５を位置決めするようにしている。支持体５６には発光体５５ａ，５５ｂとの干渉を避けてフレキシブル基板５４を受ける受け部１０３が突出状に設けられ、その受け部１０３に係合部１０２が設けられている。
【００７３】
フレキシブル基板５４は重ね合わせ部６５の両端を支持体５６に着脱自在に固定するが、重ね合わせ部６５の中間部分は、このようにフレキシブル基板５４の被係合部１０１と支持体５６の係合部１０２とによって位置決めしてもよい。この場合のフレキシブル基板５４側の被係合部１０１、支持体５６側の係合部１０２は、両者が係脱自在に係合する関係にあればよく、その形状、構造はフレキシブル基板５４の装着の利便性を考慮して適宜決定すればよい。
【００７４】
以上、本発明の各実施形態について詳述したが、本発明はこの各実施形態に限定されるものではなく、本発明の趣旨を逸脱しない範囲で種々の変更が可能である。例えば、発光体５５ａ，５５ｂが実装されたフレキシブル基板５４を折り曲げ部６０で二つ折り状に折り曲げて支持体５６に装着する場合、発光体５５ａ，５５ｂのない側を内側にして折り曲げてもよいし、発光体５５ａ，５５ｂ側を内側にして折り曲げてもよい。
【００７５】
フレキシブル基板５４は長手方向の少なくとも一部を並べて配置すればよい。その場合、フレキシブル基板５４の発光体５５ａ，５５ｂの実装領域Ｘが厚さ方向の近傍に位置し、その発光体５５ａ，５５ｂ同士が近接した位置関係にあればよく、フレキシブル基板５４が並び部分で平行である必要はない。またフレキシブル基板５４を折り曲げた状態で並べてもよいし、複数個のフレキシブル基板５４を並べて配置してもよい。
【００７６】
異なる発光色で発光する複数個の発光部８４〜８６を有する発光体５５ａ，５５ｂを使用する場合、二色式のものでもよい。またフルカラーの発光体５５ａ，５５ｂは各発光部８４〜８６の配列方向が同じとなるように配置してもよい。発光部８４〜８６は長手方向に交互に位置するように配列してもよい。フレキシブル基板５４の重ね合わせ部６５は、支持体５６に対して円弧状、屈曲状、直線状、波状、ジグザグ状に配置してもよい。また支持体５６の形状、保持部６７の形状は適宜変更可能である。
【００７７】
パチンコ機の場合の発光式演出手段は、遊技盤１７の画像表示手段２０の飾り枠３０又は遊技盤１７の他の遊技部品に設けてもよいし、ガラス扉５、前面板６等に設けてもよい。またパチンコ機の他、フレキシブル基板５４と、このフレキシブル基板５４の片面に実装された側面発光式の発光体５５ａ，５５ｂとを含む発光式演出手段を備えたものであれば、パチンコ機、アレンジボール機等の弾球遊技機は勿論のこと、スロットマシン等の他の遊技機においても同様に実施可能である。
【符号の説明】
【００７８】
１４  回転演出手段
５４  フレキシブル基板
５５ａ，５５ｂ  発光体
５６  支持体
６０  折り曲げ部
６５  重ね合わせ部
６７  保持部
８４〜８６  発光部
８７  可動演出手段
１０５  発光演出手段
【図１】
0005686778.tif 000002
【図２】
0005686778.tif 000003
【図３】
0005686778.tif 000004
【図４】
0005686778.tif 000005
【図５】
0005686778.tif 000006
【図６】
0005686778.tif 000007
【図７】
0005686778.tif 000008
【図８】
0005686778.tif 000009
【図９】
0005686778.tif 000010
【図１０】
0005686778.tif 000011
【図１１】
0005686778.tif 000012
【図１２】
0005686778.tif 000013
【図１３】
0005686778.tif 000014
【図１４】
0005686778.tif 000015
【図１５】
0005686778.tif 000016
【図１６】
0005686778.tif 000017
【図１７】
0005686778.tif 000018
【図１８】
0005686778.tif 000019
【図１９】
0005686778.tif 000020
【図２０】
0005686778.tif 000021
【図２１】
0005686778.tif 000022
【図２２】
0005686778.tif 000023
【図２３】
0005686778.tif 000024